(57)【特許請求の範囲】
【請求項１】
ＩＰ（Ｉｎｔｅｒｎｅｔ  Ｐｒｏｔｏｃｏｌ）対応ＰＨＳ（Ｐｅｒｓｏｎａｌ  Ｈａｎｄｙ−ｐｈｏｎｅ  Ｓｙｓｔｅｍ）基地局と、前記ＩＰ対応ＰＨＳ基地局がレジストレーション可能なＩＰ−ＰＢＸ（Ｐｒｉｖａｔｅ  Ｂｒａｎｃｈ  ｅＸｃｈａｎｇｅ）とを含む無線通信システムであって、
前記レジストレーション可能なＩＰ−ＰＢＸのＩＰアドレスリストを配布する配布サーバを有し、
前記ＩＰ対応ＰＨＳ基地局は、起動時に前記配布サーバに前記ＩＰアドレスリストの配布を要求するための要求信号を送信する手段と、前記配布サーバから配布された前記ＩＰアドレスリストの先頭にあるＩＰ−ＰＢＸのアドレスを登録先としてレジストレーションを行う手段とを有することを特徴とする無線通信システム。
【請求項２】
前記ＩＰ対応ＰＨＳ基地局は、前記配布サーバのアドレスを予め保持する保持手段を含み、その保持された前記配布サーバのアドレスを基に前記要求信号を送信することを特徴とする請求項１記載の無線通信システム。
【請求項３】
前記ＩＰ対応ＰＨＳ基地局は、前記ＩＰ−ＰＢＸとの間の通信障害及び前記ＩＰ−ＰＢＸ自身の障害のうちの少なくとも一方が発生した時に自律的に再起動することを特徴とする請求項１または請求項２記載の無線通信システム。
【請求項４】
前記ＩＰ対応ＰＨＳ基地局は、前記配布サーバから配布された前記ＩＰアドレスリストを格納する格納手段を含み、前記再起動後に前記格納手段に格納されたＩＰアドレスリストを基に前記レジストレーションが成功するまで前記ＩＰアドレスリストにあるＩＰ−ＰＢＸに対して順次レジストレーションを実行することを特徴とする請求項３記載の無線通信システム。
【請求項５】
前記ＩＰアドレスリストは、先頭から登録時の優先順位の並びで前記ＩＰ−ＰＢＸのＩＰアドレスを格納することを特徴とする請求項１から請求項４のいずれか記載の無線通信システム。
【請求項６】
ＩＰ（Ｉｎｔｅｒｎｅｔ  Ｐｒｏｔｏｃｏｌ）−ＰＢＸ（Ｐｒｉｖａｔｅ  Ｂｒａｎｃｈ  ｅＸｃｈａｎｇｅ）へのレジストレーションを実行するＩＰ対応ＰＨＳ（Ｐｅｒｓｏｎａｌ  Ｈａｎｄｙ−ｐｈｏｎｅ  Ｓｙｓｔｅｍ）基地局であって、
起動時に前記レジストレーション可能なＩＰ−ＰＢＸのＩＰアドレスリストを配布する配布サーバに前記ＩＰアドレスリストの配布を要求するための要求信号を送信する手段と、前記配布サーバから配布された前記ＩＰアドレスリストの先頭にあるＩＰ−ＰＢＸのアドレスを登録先として前記レジストレーションを行う手段とを有することを特徴とするＩＰ対応ＰＨＳ基地局。
【請求項７】
前記配布サーバのアドレスを予め保持する保持手段を含み、その保持された前記配布サーバのアドレスを基に前記要求信号を送信することを特徴とする請求項６記載のＩＰ対応ＰＨＳ基地局。
【請求項８】
前記ＩＰ−ＰＢＸとの間の通信障害及び前記ＩＰ−ＰＢＸ自身の障害のうちの少なくとも一方が発生した時に自律的に再起動することを特徴とする請求項６または請求項７記載のＩＰ対応ＰＨＳ基地局。
【請求項９】
前記配布サーバから配布された前記ＩＰアドレスリストを格納する格納手段を含み、前記再起動後に前記格納手段に格納されたＩＰアドレスリストを基に前記レジストレーションが成功するまで前記ＩＰアドレスリストにあるＩＰ−ＰＢＸに対して順次レジストレーションを実行することを特徴とする請求項８記載のＩＰ対応ＰＨＳ基地局。
【請求項１０】
前記ＩＰアドレスリストは、先頭から登録時の優先順位の並びで前記ＩＰ−ＰＢＸのＩＰアドレスを格納することを特徴とする請求項６から請求項９のいずれか記載のＩＰ対応ＰＨＳ基地局。
【請求項１１】
ＩＰ（Ｉｎｔｅｒｎｅｔ  Ｐｒｏｔｏｃｏｌ）対応ＰＨＳ（Ｐｅｒｓｏｎａｌ  Ｈａｎｄｙ−ｐｈｏｎｅ  Ｓｙｓｔｅｍ）基地局と、前記ＩＰ対応ＰＨＳ基地局がレジストレーション可能なＩＰ−ＰＢＸ（Ｐｒｉｖａｔｅ  Ｂｒａｎｃｈ  ｅＸｃｈａｎｇｅ）とを含む無線通信システムに用いるレジストレーション先保持方法であって、
前記レジストレーション可能なＩＰ−ＰＢＸのＩＰアドレスリストを配布する配布サーバを設け、
前記ＩＰ対応ＰＨＳ基地局が、起動時に前記配布サーバに前記ＩＰアドレスリストの配布を要求するための要求信号を送信する処理と、前記配布サーバから配布された前記ＩＰアドレスリストの先頭にあるＩＰ−ＰＢＸのアドレスを登録先としてレジストレーションを行う処理とを実行することを特徴とするレジストレーション先保持方法。
【請求項１２】
前記ＩＰ対応ＰＨＳ基地局が、前記配布サーバのアドレスを予め保持手段に保持しておき、その保持された前記配布サーバのアドレスを基に前記要求信号を送信することを特徴とする請求項１１記載のレジストレーション先保持方法。
【請求項１３】
前記ＩＰ対応ＰＨＳ基地局が、前記ＩＰ−ＰＢＸとの間の通信障害及び前記ＩＰ−ＰＢＸ自身の障害のうちの少なくとも一方が発生した時に自律的に再起動することを特徴とする請求項１１または請求項１２記載のレジストレーション先保持方法。
【請求項１４】
前記ＩＰ対応ＰＨＳ基地局が、前記配布サーバから配布された前記ＩＰアドレスリストを格納手段に格納し、前記再起動後に前記格納手段に格納されたＩＰアドレスリストを基に前記レジストレーションが成功するまで前記ＩＰアドレスリストにあるＩＰ−ＰＢＸに対して順次レジストレーションを実行することを特徴とする請求項１３記載のレジストレーション先保持方法。
【請求項１５】
前記ＩＰアドレスリストが、先頭から登録時の優先順位の並びで前記ＩＰ−ＰＢＸのＩＰアドレスを格納することを特徴とする請求項１１から請求項１４のいずれか記載のレジストレーション先保持方法。
【請求項１６】
ＩＰ（Ｉｎｔｅｒｎｅｔ  Ｐｒｏｔｏｃｏｌ）対応ＰＨＳ（Ｐｅｒｓｏｎａｌ  Ｈａｎｄｙ−ｐｈｏｎｅ  Ｓｙｓｔｅｍ）基地局と、前記ＩＰ対応ＰＨＳ基地局がレジストレーション可能なＩＰ−ＰＢＸ（Ｐｒｉｖａｔｅ  Ｂｒａｎｃｈ  ｅＸｃｈａｎｇｅ）とを含む無線通信システムに用いるレジストレーション先保持方法のプログラムであって、
前記レジストレーション可能なＩＰ−ＰＢＸのＩＰアドレスリストを配布する配布サーバを設け、
前記ＩＰ対応ＰＨＳ基地局のコンピュータに、起動時に前記配布サーバに前記ＩＰアドレスリストの配布を要求するための要求信号を送信する処理と、前記配布サーバから配布された前記ＩＰアドレスリストの先頭にあるＩＰ−ＰＢＸのアドレスを登録先としてレジストレーションを行う処理とを実行させるためのプログラム。
【発明の詳細な説明】
【技術分野】
【０００１】
本発明は無線通信システム、ＩＰ対応ＰＨＳ基地局及びレジストレーション先保持方法並びにそのプログラムに関し、特にＩＰ（Ｉｎｔｅｒｎｅｔ  Ｐｒｏｔｏｃｏｌ）対応ＰＨＳ（Ｐｅｒｓｏｎａｌ  Ｈａｎｄｙ−ｐｈｏｎｅ  Ｓｙｓｔｅｍ）基地局におけるレジストレーション先の保持方法に関する。
【背景技術】
【０００２】
ＩＰ網経由でＰＢＸ（Ｐｒｉｖａｔｅ  Ｂｒａｎｃｈ  ｅＸｃｈａｎｇｅ）機能を提供するＩＰセントレックスの普及に伴い、企業の拠点内／拠点間の通信網にＩＰ−ＰＢＸを導入して構成する形態が増加している（例えば、特許文献１参照）。
【０００３】
このように、ＩＰ−ＰＢＸ導入の都合上やトラフィックの増加、設置拠点の追加、またＩＰネットワークの信頼性や冗長性の向上を考えると、ＩＰ−ＰＢＸの増設は避けては通れない。
【０００４】
従来のＩＰ対応ＰＨＳ基地局の方式では、上述したようなＩＰ−ＰＢＸの増設に対する柔軟性が欠けていたため、レジストレーション先のＩＰ−ＰＢＸの設定方法の利便性及び障害発生時のレジストレーション先のＩＰ−ＰＢＸの再選択について手順を確立する必要性が求められている。
【０００５】
【特許文献１】特開２００４−３４３４３７号公報
【発明の開示】
【発明が解決しようとする課題】
【０００６】
上述した従来のＩＰ対応ＰＨＳ基地局では、レジストレーション可能なＩＰ−ＰＢＸのアドレスが、基地局に対してテルネット（ｔｅｌｎｅｔ）で直接接続してコンソールからＩＰアドレスを直接入力することで登録を行う必要がある。
【０００７】
この方式では、ＩＰ−ＰＢＸが冗長的に構成される場合に、
・複数のＩＰ−ＰＢＸ（プライマリノード、セカンダリノード、・・・）のＩＰアドレスを直接入力する手間がかかる
・レジストレーション可能なＩＰ−ＰＢＸが増設された場合、該当する全てのＩＰ対応ＰＨＳ基地局に対して登録の追加が必要である
・個々のＩＰ対応ＰＨＳ基地局に対してそれぞれ別々の設定を準備しようとした際に入力ミスの恐れがある
といった問題がある。
【０００８】
そこで、本発明の目的は上記の問題点を解消し、レジストレーション可能なＩＰ−ＰＢＸのアドレス設定を簡易化することができ、そのアドレスを登録する際の入力ミスを防ぐことができる無線通信システム、ＩＰ対応ＰＨＳ基地局及びレジストレーション先保持方法並びにそのプログラムを提供することにある。
【課題を解決するための手段】
【０００９】
本発明による無線通信システムは、ＩＰ（Ｉｎｔｅｒｎｅｔ  Ｐｒｏｔｏｃｏｌ）対応ＰＨＳ（Ｐｅｒｓｏｎａｌ  Ｈａｎｄｙ−ｐｈｏｎｅ  Ｓｙｓｔｅｍ）基地局と、前記ＩＰ対応ＰＨＳ基地局がレジストレーション可能なＩＰ−ＰＢＸ（Ｐｒｉｖａｔｅ  Ｂｒａｎｃｈ  ｅＸｃｈａｎｇｅ）とを含む無線通信システムであって、
前記レジストレーション可能なＩＰ−ＰＢＸのＩＰアドレスリストを配布する配布サーバを備え、
前記ＩＰ対応ＰＨＳ基地局は、起動時に前記配布サーバに前記ＩＰアドレスリストの配布を要求するための要求信号を送信する手段と、前記配布サーバから配布された前記ＩＰアドレスリストの先頭にあるＩＰ−ＰＢＸのアドレスを登録先としてレジストレーションを行う手段とを備えている。
【００１０】
本発明によるＩＰ対応ＰＨＳ基地局は、ＩＰ（Ｉｎｔｅｒｎｅｔ  Ｐｒｏｔｏｃｏｌ）−ＰＢＸ（Ｐｒｉｖａｔｅ  Ｂｒａｎｃｈ  ｅＸｃｈａｎｇｅ）へのレジストレーションを実行するＩＰ対応ＰＨＳ（Ｐｅｒｓｏｎａｌ  Ｈａｎｄｙ−ｐｈｏｎｅ  Ｓｙｓｔｅｍ）基地局であって、
起動時に前記レジストレーション可能なＩＰ−ＰＢＸのＩＰアドレスリストを配布する配布サーバに前記ＩＰアドレスリストの配布を要求するための要求信号を送信する手段と、前記配布サーバから配布された前記ＩＰアドレスリストの先頭にあるＩＰ−ＰＢＸのアドレスを登録先として前記レジストレーションを行う手段とを備えている。
【００１１】
本発明によるレジストレーション先保持方法は、ＩＰ（Ｉｎｔｅｒｎｅｔ  Ｐｒｏｔｏｃｏｌ）対応ＰＨＳ（Ｐｅｒｓｏｎａｌ  Ｈａｎｄｙ−ｐｈｏｎｅ  Ｓｙｓｔｅｍ）基地局と、前記ＩＰ対応ＰＨＳ基地局がレジストレーション可能なＩＰ−ＰＢＸ（Ｐｒｉｖａｔｅ  Ｂｒａｎｃｈ  ｅＸｃｈａｎｇｅ）とを含む無線通信システムに用いるレジストレーション先保持方法であって、
前記レジストレーション可能なＩＰ−ＰＢＸのＩＰアドレスリストを配布する配布サーバを設け、
前記ＩＰ対応ＰＨＳ基地局が、起動時に前記配布サーバに前記ＩＰアドレスリストの配布を要求するための要求信号を送信する処理と、前記配布サーバから配布された前記ＩＰアドレスリストの先頭にあるＩＰ−ＰＢＸのアドレスを登録先としてレジストレーションを行う処理とを実行している。
【００１２】
本発明によるレジストレーション先保持方法のプログラムは、ＩＰ（Ｉｎｔｅｒｎｅｔ  Ｐｒｏｔｏｃｏｌ）対応ＰＨＳ（Ｐｅｒｓｏｎａｌ  Ｈａｎｄｙ−ｐｈｏｎｅ  Ｓｙｓｔｅｍ）基地局と、前記ＩＰ対応ＰＨＳ基地局がレジストレーション可能なＩＰ−ＰＢＸ（Ｐｒｉｖａｔｅ  Ｂｒａｎｃｈ  ｅＸｃｈａｎｇｅ）とを含む無線通信システムに用いるレジストレーション先保持方法のプログラムであって、
前記レジストレーション可能なＩＰ−ＰＢＸのＩＰアドレスリストを配布する配布サーバを設け、
前記ＩＰ対応ＰＨＳ基地局のコンピュータに、起動時に前記配布サーバに前記ＩＰアドレスリストの配布を要求するための要求信号を送信する処理と、前記配布サーバから配布された前記ＩＰアドレスリストの先頭にあるＩＰ−ＰＢＸのアドレスを登録先としてレジストレーションを行う処理とを実行させている。
【００１３】
すなわち、本発明の無線通信システムは、ＩＰ（Ｉｎｔｅｒｎｅｔ  Ｐｒｏｔｏｃｏｌ）対応ＰＨＳ（Ｐｅｒｓｏｎａｌ  Ｈａｎｄｙ−ｐｈｏｎｅ  Ｓｙｓｔｅｍ）基地局において、該当する基地局がレジストレーション可能なＩＰ−ＰＢＸ（Ｐｒｉｖａｔｅ  Ｂｒａｎｃｈ  ｅＸｃｈａｎｇｅ）のＩＰアドレスリストを配布するサーバを置くことで、基地局の起動時にレジストレーション可能なＩＰ−ＰＢＸのリストを受け取るものであり、ＩＰ−ＰＢＸを冗長的に構成する場合の利便性を高めるものである。
【００１４】
より具体的に説明すると、本発明の無線通信システムでは、ＩＰ対応ＰＨＳ基地局に予めＩＰアドレスリストを分配するサーバ（以下、アドレスリスト分配サーバとする）を登録しておき、そのＩＰ対応ＰＨＳ基地局の起動時に登録しておいたアドレスリスト分配サーバに対してアドレスリスト分配要求の信号を送信する。
【００１５】
アドレスリスト分配サーバはこのアドレスリスト分配要求に対してＩＰ対応ＰＨＳ基地局のレジストレーション先となるＩＰ−ＰＢＸのＩＰアドレスリストを返す。このＩＰアドレスリストは先頭から登録時の優先順位の並びでＩＰアドレスが格納されており、ＩＰ対応ＰＨＳ基地局はＩＰアドレスリストの先頭にあるＩＰ−ＰＢＸのアドレスを登録先としてレジストレーションを行う。ＩＰ−ＰＢＸへのレジストレーションが成功すると、ＩＰ対応ＰＨＳ基地局は運用状態に入る。
【００１６】
ＩＰ対応ＰＨＳ基地局の運用中には、レジストレーションが行われたＩＰ−ＰＢＸからのヘルスチェック信号を定期的に受信するが、このヘルスチェック信号を一定時間受信することができない場合、ＩＰ対応ＰＨＳ基地局は何らかの障害（ＩＰ−ＰＢＸとの間の通信障害、ＩＰ−ＰＢＸ自身の障害等）が発生したと判断し、自律的に再起動する。
【００１７】
再起動後、ＩＰ対応ＰＨＳ基地局は再びＩＰアドレスリストの先頭にあるＩＰ−ＰＢＸに対してレジストレーションを試みる。このレジストレーションが失敗すると、ＩＰ対応ＰＨＳ基地局はＩＰアドレスリストの２番目にあるＩＰ−ＰＢＸを次候補として、そのＩＰ−ＰＢＸに対してレジストレーションを実行する。
【００１８】
これによって、本発明の無線通信システムでは、ＩＰ対応ＰＨＳ基地局への設定を簡易化することが可能となる。複数のレジストレーション先を登録したい場合でも、ＩＰ対応ＰＨＳ基地局へ登録するＩＰアドレスはＩＰアドレスリスト分配サーバのＩＰアドレスのみで済み、複数のＩＰ−ＰＢＸ（プライマリノード、セカンダリノード、・・・）のＩＰアドレスを直接入力する手間を省くことが可能となる。
【００１９】
また、本発明の無線通信システムでは、ＩＰ−ＰＢＸの構成の柔軟性を向上させることが可能となる。従来の方式では、レジストレーション可能なＩＰ−ＰＢＸが増設された場合、該当する全てのＩＰ対応ＰＨＳ基地局に対して登録の追加を行う必要がある。本発明の無線通信システムでは、ＩＰ対応ＰＨＳ基地局を再起動するだけで、ＩＰアドレスリスト分配サーバから新たに増設されたレジストレーション可能なＩＰ−ＰＢＸのアドレスを含むＩＰアドレスリストを受信することが可能となる。
【００２０】
この場合、本発明の無線通信システムでは、各ＩＰ対応ＰＨＳ基地局へ個々に設定を追加する必要がなくなるため、システムの拡張性を高めることが可能となる。その際、本発明の無線通信システムでは、システムを冗長的に構成することが容易となるため、障害に強くなる。
【００２１】
さらに、本発明の無線通信システムでは、ＩＰ対応ＰＨＳ基地局に対する登録ミスを排除することが可能となる。各ＩＰ対応ＰＨＳ基地局に対してそれぞれ別々の設定が必要となる場面も想定される。
【００２２】
このような場合、従来のように、各ＩＰ対応ＰＨＳ基地局にテルネット（ｔｅｌｎｅｔ）で直接接続して設定する方式では入力ミスの恐れがある。本発明の無線通信システムでは、レジストレーション可能なＩＰ−ＰＢＸの管理をＩＰアドレスリスト分配サーバで一括して行っているため、登録ミスの可能性を排除することが可能となる。
【発明の効果】
【００２３】
本発明は、以下に述べるような構成及び動作とすることで、レジストレーション可能なＩＰ−ＰＢＸのアドレス設定を簡易化することができ、そのアドレスを登録する際の入力ミスを防ぐことができるという効果が得られる。
【発明を実施するための最良の形態】
【００２４】
次に、本発明の実施例について図面を参照して説明する。図１は本発明の一実施例による無線通信システムの構成例を示すブロック図である。図１において、本発明の一実施例による無線通信システムは図示せぬＰＨＳ（Ｐｅｒｓｏｎａｌ  Ｈａｎｄｙ−ｐｈｏｎｅ  Ｓｙｓｔｅｍ）端末の無線通信を中継するＩＰ（Ｉｎｔｅｒｎｅｔ  Ｐｒｏｔｏｃｏｌ）対応ＰＨＳ基地局１と、ＩＰアドレスリスト保持部３に保持されたＩＰアドレスリストをＩＰ対応ＰＨＳ基地局１に分配するアドレスリスト分配サーバ２と、ＩＰ−ＰＢＸ（プライマリ）（ＩＰ対応ＰＨＳ基地局１のレジストレーション先の第一候補）４と、ＩＰ−ＰＢＸ（セカンダリ）（同じくレジストレーション先の第二候補）５とから構成されている。
【００２５】
図２は図１のＩＰ対応ＰＨＳ基地局１の構成例を示すブロック図である。図２において、ＩＰ対応ＰＨＳ基地局１は全体の制御を行うＣＰＵ（中央処理装置）１１と、ＣＰＵ１１が実行する制御プログラム１２ａを記憶するメインメモリ１２と、ＣＰＵ１１が制御プログラム１２ａを実行する際に作業領域として使用する記憶装置１３と、ＰＨＳ端末との間の無線通信を制御する無線通信制御部１４と、アドレスリスト分配サーバ２とＩＰ−ＰＢＸ（プライマリ）４とＩＰ−ＰＢＸ（セカンダリ）５と間の通信を制御する通信制御部１５とから構成されている。
【００２６】
記憶装置１３はアドレスリスト分配サーバ２のアドレスを保持するアドレスリスト分配サーバアドレス保持領域１３１と、アドレスリスト分配サーバ２から分配されたＩＰアドレスリストを保持するアドレスリスト保持領域１３２とを備えている。尚、ＣＰＵ１１と、メインメモリ１２と、記憶装置１３と、無線通信制御部１４と、通信制御部１５とはそれぞれ内部バス１１０に接続されている。
【００２７】
図３は本発明の一実施例による無線通信システムの動作（起動時・障害なし）を示すシーケンスチャートである。これら図１及び図３を参照して本発明の一実施例による無線通信システムの動作（起動時・障害なし）について説明する。尚、図３において、ＩＰ対応ＰＨＳ基地局１の動作はＣＰＵ１１が制御プログラム１２ａを実行することで実現される。
【００２８】
ＩＰ対応ＰＨＳ基地局１の起動時（図３のａ１，ａ２参照）、まず予め登録しておいたアドレスリスト分配サーバ２に対してアドレスリスト分配要求の信号を送信する（図３のａ３参照）。
【００２９】
アドレスリスト分配サーバ２はそのアドレスリスト分配要求に対してＩＰ対応ＰＨＳ基地局１のレジストレーション先となるＩＰ−ＰＢＸのＩＰアドレスリストを返す（図３のａ４参照）。ＩＰアドレスリストはＩＰアドレスリスト保持部３に保持されており、最大４つのＩＰ−ＰＢＸのアドレス（プライマリノード、セカンダリノード、ターシャリノード、４ｔｈノード）が格納されている。
【００３０】
ＩＰ対応ＰＨＳ基地局１はアドレスリスト分配サーバ２から分配されたＩＰアドレスリストの先頭にあるＩＰ−ＰＢＸ（プライマリノード）４のアドレスをレジストレーションの登録先に決定し（図３のａ５参照）、初期設定要求をＩＰ−ＰＢＸ（プライマリノード）４に送信する（図３のａ６参照）。
【００３１】
ＩＰ−ＰＢＸ（プライマリノード）４はＩＰ対応ＰＨＳ基地局１の運用情報の確認及びＩＰ対応ＰＨＳ基地局１への信号路設定指示送信を行う（図３のａ７，ａ８参照）。それに対して、ＩＰ対応ＰＨＳ基地局１は信号路設定結果を返信する（図３のａ９参照）。このようなやり取りを経てＩＰ−ＰＢＸ（プライマリノード）におけるレジストレーションが完了となり（図３のａ１０参照）、ＩＰ対応ＰＨＳ基地局１が運用状態に入る（図３のａ１１参照）。
【００３２】
図４及び図５は本発明の一実施例による無線通信システムの動作（レジストレーション先のＩＰ−ＰＢＸにおける障害発生時）を示すシーケンスチャートである。これら図１と図４と図５とを参照して本発明の一実施例による無線通信システムの動作（レジストレーション先のＩＰ−ＰＢＸにおける障害発生時）について説明する。尚、図４及び図５において、ＩＰ対応ＰＨＳ基地局１の動作はＣＰＵ１１が制御プログラム１２ａを実行することで実現される。
【００３３】
ＩＰ対応ＰＨＳ基地局１は運用中（図４のｂ１参照）、ＩＰ−ＰＢＸ（プライマリノード）４からの監視信号（ヘルスチェック）を受信することで疎通を確認する（図４のｂ２，ｂ３参照）。ここで、ＩＰ−ＰＢＸ（プライマリノード）４もしくはネットワークに何らかの障害が発生した場合（図４のｂ４参照）、この監視信号（ヘルスチェック）が受信できなくなる（図４のｂ５，ｂ６参照）。
【００３４】
ＩＰ対応ＰＨＳ基地局１はこの監視信号（ヘルスチェック）を最後に受け取ってから４分以内に新しい信号が受信できない場合、何らかの障害が発生したと判断して自律的に再起動を行う（図４のｂ７，ｂ８参照）。
【００３５】
再起動時、ＩＰ対応ＰＨＳ基地局１は初回起動時に受信したＩＰアドレスリストを参照して再度ＩＰ−ＰＢＸ（プライマリノード）４に対して初期設定要求を送信する。ＩＰ対応ＰＨＳ基地局１はＩＰ−ＰＢＸ（プライマリノード）４から何の応答もない場合、５秒間隔で５回リトライを行う（図４のｂ９〜ｂ１１参照）。
【００３６】
最後のリトライから５秒以内に応答がない場合、ＩＰ対応ＰＨＳ基地局１はＩＰ−ＰＢＸ（プライマリノード）４との疎通に障害が発生したと判断し、バックアップノードのうち次候補であるＩＰ−ＰＢＸ（セカンダリノード）５をレジストレーション先として選択する（図４のｂ１２参照）。
【００３７】
ＩＰ対応ＰＨＳ基地局１はＩＰ−ＰＢＸ（セカンダリノード）５との間の初期設定要求（図５のｂ１３参照）、信号路設定要求（図５のｂ１５参照）、信号路設定結果（図５のｂ１７参照）のやり取りを経てレジストレーション完了となり、ＩＰ−ＰＢＸ（セカンダリノード）５にて運用を開始する（図５のｂ１８参照）。
【００３８】
その際、ＩＰ−ＰＢＸ（セカンダリノード）５は上記のＩＰ−ＰＢＸ（プライマリノード）４の処理と同様に、ＩＰ対応ＰＨＳ基地局１の運用情報の確認及びＩＰ対応ＰＨＳ基地局１への信号路設定指示送信を行う（図５のｂ１４，ｂ１５参照）。
【００３９】
このように、本実施例では、ＩＰ対応ＰＨＳ基地局１へのレジストレーション先の設定を簡易化することができる。複数のレジストレーション先をＩＰ対応ＰＨＳ基地局１に登録したい場合でも、ＩＰ対応ＰＨＳ基地局１へ登録するＩＰアドレスとしてはＩＰアドレスリスト分配サーバ２のＩＰアドレスのみで済み、複数のＩＰ−ＰＢＸ（プライマリノード、セカンダリノード、・・・）のＩＰアドレスを直接入力する手間を省くことができる。
【００４０】
また、本実施例では、ＩＰ−ＰＢＸの構成の柔軟性を向上させることができる。従来の方式ではレジストレーション可能なＩＰ−ＰＢＸが増設された場合、該当する全てのＩＰ対応ＰＨＳ基地局に対して登録の追加が必要である。これに対し、本実施例では、ＩＰ対応ＰＨＳ基地局１を再起動するだけで、ＩＰアドレスリスト分配サーバ２から新たに増設されたレジストレーション可能なＩＰ−ＰＢＸのアドレスを含むＩＰアドレスリストを受信することができる。各ＩＰ対応ＰＨＳ基地局に対して個々に設定を追加する必要がなくなるため、システムの拡張性を高めることができる。その際、本実施例では、システムを冗長的に構成することが容易になるため、障害に強くなる。
【００４１】
さらに、本実施例では、ＩＰ対応ＰＨＳ基地局１に対する登録ミスを排除することができる。本実施例では、各ＩＰ対応ＰＨＳ基地局に対してそれぞれ別々の設定が必要となる場面も想定されるが、このような場合、従来のように、各ＩＰ対応ＰＨＳ基地局にテルネット（ｔｅｌｎｅｔ）で直接接続して設定する方式では入力ミスの恐れがある。これに対し、本実施例では、レジストレーション可能なＩＰ−ＰＢＸの管理をＩＰアドレスリスト分配サーバ２で一括して行うことができるため、登録ミスの可能性を排除することができる。
【図面の簡単な説明】
【００４２】
【図１】本発明の一実施例による無線通信システムの構成を示すブロック図である。
【図２】図１のＩＰ対応ＰＨＳ基地局の構成例を示すブロック図である。
【図３】本発明の一実施例による無線通信システムの動作（起動時・障害なし）を示すシーケンスチャートである。
【図４】本発明の一実施例による無線通信システムの動作（レジストレーション先のＩＰ−ＰＢＸにおける障害発生時）を示すシーケンスチャートである。
【図５】本発明の一実施例による無線通信システムの動作（レジストレーション先のＩＰ−ＰＢＸにおける障害発生時）を示すシーケンスチャートである。
【符号の説明】
【００４３】
１  ＩＰ対応ＰＨＳ基地局
２  アドレスリスト分配サーバ
３  ＩＰアドレスリスト保持部
４  ＩＰ−ＰＢＸ（プライマリ）
５  ＩＰ−ＰＢＸ（セカンダリ）
１１  ＣＰＵ
１２  メインメモリ
１２ａ  制御プログラム
１３  記憶装置
１４  無線通信制御部
１５  通信制御部
１１０  内部バス
１３１  アドレスリスト分配サーバアドレス保持領域
１３２  アドレスリスト保持領域
【図１】
0004593436.tif 000002
【図２】
0004593436.tif 000003
【図３】
0004593436.tif 000004
【図４】
0004593436.tif 000005
【図５】
0004593436.tif 000006